(57)【要約】【課題】  ＩＣタグにより異常と正常を区別し、家庭への侵入者を感知し、防犯を正確に実施する。【解決手段】  監視端末１０は、人感知装置１０１を介して、人の有無を監視し、ＩＣタグ読取装置１０２を介してＩＣタグのＩＤを読み取り、読み取ったＩＤが住人情報データベース２０３と照合し、不一致であれば、撮影装置１０３を介して、侵入者（感知した人）の撮影を行う。次に、監視端末１０は、ネットワーク１００を介して、監視センター装置２０に、および、住人情報データベース２０３に登録されている携帯端末３０に侵入者の発生の通知を送信する。このとき、監視端末１０は、撮影装置１０３で撮影した侵入者の映像（写真）を送信する。次に、監視端末１０は、警報装置１０４を介して、アラーム（音）を発する。【選択図】      図１
2005092622.tif 000002
【特許請求の範囲】
【請求項１】
人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発する監視端末と、
前記監視端末から侵入者の発生の通知を受信すると、表示装置に侵入者の発生を表示し、警報アラームを発生する監視センター装置と、
前記監視端末から侵入者の発生の通知を受信すると、画面に表示する携帯端末と、
を有することを特徴とする防犯監視システム。
【請求項２】
人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、異常通報、および、撮影した映像を送信する監視端末と、
前記監視端末からの「正常であるかどうかの確認」の通知に対し、入力された正常応答、または、異常応答を前記監視端末に送信する携帯端末と、
前記監視端末から異常通報を受け、異常事態発生を表示し、警報アラームを発する監視センター装置と、
を有することを特徴とする防犯監視システム。
【請求項３】
不在モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発し、在宅モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、侵入者の発生、および、撮影した映像を送信する監視端末と、
前記監視端末から侵入者の発生の通知を受信すると、表示装置に侵入者の発生を表示し、警報アラームを発生する監視センター装置と、
不在モードであれば、前記監視端末から侵入者の発生の通知を受信すると、画面に表示し、在宅モードであれば、前記監視端末からの「正常であるかどうかの確認」の通知に対し、入力された正常応答、または、異常応答を前記監視端末に送信する携帯端末と、
を有することを特徴とする防犯監視システム。
【請求項４】
監視端末が、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発するステップと、
監視センター装置が、前記監視端末から侵入者の発生の通知を受信すると、表示装置に侵入者の発生を表示し、警報アラームを発生するステップと、
携帯端末が、前記監視端末から侵入者の発生の通知を受信すると、画面に表示するステップと、
を含むことを特徴とする防犯監視方法。
【請求項５】
監視端末が、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、異常通報、および、撮影した映像を送信するステップと、
携帯端末が、前記監視端末からの「正常であるかどうかの確認」の通知に対し、入力された正常応答、または、異常応答を前記監視端末に送信するステップと、
監視センター装置が、前記監視端末から異常通報を受け、異常事態発生を表示し、警報アラームを発するステップと、
を含むことを特徴とする防犯監視方法。
【請求項６】
監視端末が、不在モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発するステップと、在宅モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、侵入者の発生、および、撮影した映像を送信するステップと、
監視センター装置が、前記監視端末から侵入者の発生の通知を受信すると、表示装置に侵入者の発生を表示し、警報アラームを発生するステップと、
携帯端末が、不在モードであれば、前記監視端末から侵入者の発生の通知を受信すると、画面に表示するステップと、在宅モードであれば、前記監視端末からの「正常であるかどうかの確認」の通知に対し、入力された正常応答、または、異常応答を前記監視端末に送信するステップと、
を含むことを特徴とする防犯監視方法。
【請求項７】
監視端末が、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発するステップと、
監視センター装置が、前記監視端末から侵入者の発生の通知を受信すると、表示装置に侵入者の発生を表示し、警報アラームを発生するステップと、
携帯端末が、前記監視端末から侵入者の発生の通知を受信すると、画面に表示するステップと、
をコンピュータに実行させることを特徴とする防犯監視プログラム。
【請求項８】
監視端末が、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、異常通報、および、撮影した映像を送信するステップと、
携帯端末が、前記監視端末からの「正常であるかどうかの確認」の通知に対し、入力された正常応答、または、異常応答を前記監視端末に送信するステップと、
監視センター装置が、前記監視端末から異常通報を受け、異常事態発生を表示し、警報アラームを発するステップと、
をコンピュータに実行させることを特徴とする防犯監視プログラム。
【請求項９】
監視端末が、不在モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発するステップと、在宅モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、侵入者の発生、および、撮影した映像を送信するステップと、
監視センター装置が、前記監視端末から侵入者の発生の通知を受信すると、表示装置に侵入者の発生を表示し、警報アラームを発生するステップと、
携帯端末が、不在モードであれば、前記監視端末から侵入者の発生の通知を受信すると、画面に表示するステップと、在宅モードであれば、前記監視端末からの「正常であるかどうかの確認」の通知に対し、入力された正常応答、または、異常応答を前記監視端末に送信するステップと、
をコンピュータに実行させることを特徴とする防犯監視プログラム。
【発明の詳細な説明】
【技術分野】
【０００１】
本発明は、防犯監視システム、防犯監視方法、および、防犯監視プログラムに関し、特に、ＩＣタグを利用する防犯監視システム、防犯監視方法、および、防犯監視プログラムに関する。
【背景技術】
【０００２】
従来の技術としては、人体感知センサが人を感知すると、画像を撮影し、画像データ、文字データをインターネットを介して電子メールで携帯端末に送信する技術がある（たとえば、特許文献１）。
【０００３】
また、ＩＤタグからの電波を検出し、認証を行う技術がある（たとえば、特許文献２）。
【０００４】
【特許文献１】特開２００２−２４９６４号公報
【特許文献２】特開２００２−２０７９７７号公報
【発明の開示】
【発明が解決しようとする課題】
【０００５】
上記の特許文献１記載の技術の問題点は、侵入者であるのか、住人であるのかの区別を自動的に実施できないことである。
【０００６】
その理由は、ＩＣタグ等を利用していないからである。
【０００７】
上記の特許文献２記載の技術の問題点は、ビル等への入館に対してＩＤタグを利用するものであって、家庭への侵入者の検出はできないことである。
【０００８】
その理由は、住宅の内部での検出を実施していないからである。
【課題を解決するための手段】
【０００９】
本発明の第１の防犯監視システムは、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発する監視端末と、前記監視端末から侵入者の発生の通知を受信すると、表示装置に侵入者の発生を表示し、警報アラームを発生する監視センター装置と、前記監視端末から侵入者の発生の通知を受信すると、画面に表示する携帯端末と、を有することを特徴とする。
【００１０】
本発明の第２の防犯監視システムは、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、異常通報、および、撮影した映像を送信する監視端末と、前記監視端末からの「正常であるかどうかの確認」の通知に対し、入力された正常応答、または、異常応答を前記監視端末に送信する携帯端末と、前記監視端末から異常通報を受け、異常事態発生を表示し、警報アラームを発する監視センター装置と、を有することを特徴とする。
【００１１】
本発明の第３の防犯監視システムは、不在モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発し、在宅モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、侵入者の発生、および、撮影した映像を送信する監視端末と、前記監視端末から侵入者の発生の通知を受信すると、表示装置に侵入者の発生を表示し、警報アラームを発生する監視センター装置と、不在モードであれば、前記監視端末から侵入者の発生の通知を受信すると、画面に表示し、在宅モードであれば、前記監視端末からの「正常であるかどうかの確認」の通知に対し、入力された正常応答、または、異常応答を前記監視端末に送信する携帯端末と、を有することを特徴とする。
【００１２】
本発明の第１の防犯監視方法は、監視端末が、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発するステップと、監視センター装置が、前記監視端末から侵入者の発生の通知を受信すると、表示装置に侵入者の発生を表示し、警報アラームを発生するステップと、携帯端末が、前記監視端末から侵入者の発生の通知を受信すると、画面に表示するステップと、を含むことを特徴とする。
【００１３】
本発明の第２の防犯監視方法は、監視端末が、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、異常通報、および、撮影した映像を送信するステップと、携帯端末が、前記監視端末からの「正常であるかどうかの確認」の通知に対し、入力された正常応答、または、異常応答を前記監視端末に送信するステップと、監視センター装置が、前記監視端末から異常通報を受け、異常事態発生を表示し、警報アラームを発するステップと、を含むことを特徴とする。
【００１４】
本発明の第３の防犯監視方法は、監視端末が、不在モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発するステップと、在宅モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、侵入者の発生、および、撮影した映像を送信するステップと、監視センター装置が、前記監視端末から侵入者の発生の通知を受信すると、表示装置に侵入者の発生を表示し、警報アラームを発生するステップと、携帯端末が、不在モードであれば、前記監視端末から侵入者の発生の通知を受信すると、画面に表示するステップと、在宅モードであれば、前記監視端末からの「正常であるかどうかの確認」の通知に対し、入力された正常応答、または、異常応答を前記監視端末に送信するステップと、を含むことを特徴とする。
【００１５】
本発明の第１の防犯監視プログラムは、監視端末が、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発するステップと、監視センター装置が、前記監視端末から侵入者の発生の通知を受信すると、表示装置に侵入者の発生を表示し、警報アラームを発生するステップと、携帯端末が、前記監視端末から侵入者の発生の通知を受信すると、画面に表示するステップと、をコンピュータに実行させることを特徴とする。
【００１６】
本発明の第２の防犯監視プログラムは、監視端末が、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、異常通報、および、撮影した映像を送信するステップと、携帯端末が、前記監視端末からの「正常であるかどうかの確認」の通知に対し、入力された正常応答、または、異常応答を前記監視端末に送信するステップと、監視センター装置が、前記監視端末から異常通報を受け、異常事態発生を表示し、警報アラームを発するステップと、をコンピュータに実行させることを特徴とする。
【００１７】
本発明の第３の防犯監視プログラムは、監視端末が、不在モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、感知した人の撮影を行い、ネットワークを介して、侵入者の発生の通知を送信し、アラームを発するステップと、在宅モードであれば、人を感知し、人が付けているＩＣタグのＩＤを読み取り、読み取ったＩＤが記憶装置の住人情報データベースに登録されている住人の付けているＩＣタグのＩＤでないか、または、感知した人がＩＣタグを付けていない場合には、現在の時間に来客予定が存在しないと、玄関において、人を感知すると、一定時間、監視を続行し、一定時間を超過すると、玄関の人を撮影し、電話を発し、また、現在の時間に来客予定が存在するか、または、玄関以外において、人を感知すると、「正常であるかどうかの確認」を通知し、異常応答を受信すると人を撮影し、侵入者の発生、および、撮影した映像を送信するステップと、監視センター装置が、前記監視端末から侵入者の発生の通知を受信すると、表示装置に侵入者の発生を表示し、警報アラームを発生するステップと、携帯端末が、不在モードであれば、前記監視端末から侵入者の発生の通知を受信すると、画面に表示するステップと、在宅モードであれば、前記監視端末からの「正常であるかどうかの確認」の通知に対し、入力された正常応答、または、異常応答を前記監視端末に送信するステップと、をコンピュータに実行させることを特徴とする。
【発明の効果】
【００１８】
本発明の第１の効果は、在宅時、非在宅時ともに、同一のシステムで侵入者の監視ができることである。
【００１９】
その理由は、監視端末、ＩＣタグ、携帯端末を使用を連携したシステムを実現するからである。
【００２０】
第２の効果は、侵入者であるのか、住人であるのかの区別を自動的に実施できることである。
【００２１】
その理由は、住人、および、来客は、ＩＣタグを装着できるからである。
【００２２】
第３の効果は、犯罪の操作に役立つことである。
【００２３】
その理由は、侵入者の映像を撮影するからである。
【発明を実施するための最良の形態】
【００２４】
次に、本発明を実施するための第１の最良の形態について図面を参照して詳細に説明する。
【００２５】
図１は、本発明の第１の最良の形態の構成を示すブロック図である。
【００２６】
図１を参照すると、本発明の第１の最良の形態は、１以上の監視端末１０と、監視センター装置２０と、１以上の携帯端末３０と、これらを接続するネットワーク１００（たとえば、インターネット）とから構成される。
【００２７】
監視端末１０には、各家庭に設置され、人感知装置１０１、ＩＣタグ読取装置１０２、撮影装置１０３、および、警報装置１０４が接続される。
【００２８】
監視端末１０は、パーソナルコンピュータ等の情報端末であり、接続されている人感知装置１０１、ＩＣタグ読取装置１０２、撮影装置１０３、および、警報装置１０４を制御する機能を持つ。また、監視端末１０は、ネットワーク１００を介して、監視センター装置２０に予備ＩＣタグの使用予定期間、来客情報等を登録する機能を持つ。また、監視端末１０は、接続されている人感知装置１０１、ＩＣタグ読取装置１０２、および、撮影装置１０３から得た情報を送信する機能を有する。また、監視端末１０は、人感知装置１０１（人がいることだけでなく、人のいる位置を感知する）の情報に基づいて、撮影装置１０３（リモートコントロールによる方向変更機能、ズーム機能を有する）を制御し、静止画、動画を撮影しその情報を保存する機能を有する。
【００２９】
監視センター装置２０には、表示装置２０１、および、警報装置２０２が接続され、監視センター装置２０は、表示装置２０１、および、警報装置２０２装置を制御する機能を持つ。
【００３０】
監視センター装置２０は、ワークステーション、サーバー等の情報処理装置であり、住人情報、住居情報、予備のＩＣタグＩＤ、および、来客情報等を含む住人情報データベース２０３に接続される。住人情報データベース２０３は、記憶装置（たとえば、ハードウェアディスク等）に格納される。監視端末１０は、住人情報データベース２０３の各監視端末１０に対応する部分の写しを内蔵する記憶装置（ハードウェアディスク等）に格納する。また、監視センター装置２０は、警備会社等に設置される。
【００３１】
携帯端末３０は、携帯電話等の情報端末であり、家庭の住居に異常が発生したとき、ネットワーク１００を介してその情報を受け取る。また、監視センター装置２０に予備ＩＣタグの使用予定期間や来客情報等を登録する機能を持つ。
【００３２】
住人情報データベース２０３の住居情報は、監視端末１０が設置される家庭の所在地、電話番号、所轄警察の名称、および、電話番号を含む。住人情報データベース２０３の住人情報は、監視端末１０が設置される家庭の各住人の氏名、所有携帯端末３０の電話番号、メールアドレス、および、住人が付けるＩＣタグのＩＤを含む。
【００３３】
住人情報データベース２０３の来客情報は、来客の予定（人数、期間、来客使用予定のＩＣタグのＩＤ）を含む。
【００３４】
図２は、家庭における監視端末１０等の配置を示す説明図である。
【００３５】
図２を参照すると、人感知装置１０１、ＩＣタグ読取装置１０２、撮影装置１０３は、玄関、および、各部屋に設置され、警報装置１０４、監視端末１０は、１カ所に設置される。人感知装置１０１、ＩＣタグ読取装置１０２、撮影装置１０３、警報装置１０４は、すべて、監視端末１０に回線等で接続される。
【００３６】
住民が、家庭に不在であるかどうかは、事前に、監視端末１０に住民が設定可能である。住民は、不在モード、在宅モードのどちらであるのかを監視端末１０に設定しておく。
【００３７】
次に、本発明の第１の最良の形態の動作について図面を参照して説明する。
【００３８】
まず、住民が家庭に不在の場合（不在モード）の本発明の第１の最良の形態の動作について説明する。
【００３９】
図３は、住民が家庭に不在の場合の本発明の第１の最良の形態の動作を示すフローチャートである。
【００４０】
図３を参照すると、監視端末１０は、人感知装置１０１（各部屋に設置することが可能である）を介して常時、住居内の人の有無を監視している。監視端末１０は、人を感知すると（図３ステップＳ１／Ｙｅｓ）、ＩＣタグ読取装置１０２を介してＩＣタグのＩＤを読み取る。ＩＣタグは、電波により、ＩＤを送信し、ＩＣタグ読取装置１０２は、電波を受信し、ＩＤを監視端末１０に送る。
【００４１】
監視端末１０は、読み取ったＩＤが住人情報データベース２０３（監視端末１０の写し）に登録されている住人の付けているＩＣタグのＩＤであるかどうかを調べる（ステップＳ２）。
【００４２】
住人の付けているＩＣタグのＩＤであると（ステップＳ２／Ｙｅｓ）、監視端末１０は、監視に戻る（ステップＳ１）。
【００４３】
監視端末１０は、読み取ったＩＤが住人情報データベース２０３に登録されている住人の付けているＩＣタグのＩＤでないか、または、感知した人がＩＣタグを付けていない場合には、撮影装置１０３を介して、侵入者（感知した人）の撮影を行う（ステップＳ３）。
【００４４】
次に、監視端末１０は、ネットワーク１００を介して、監視センター装置２０に、および、住人情報データベース２０３に登録されている携帯端末３０に侵入者の発生の通知を送信する（ステップＳ４）。このとき、監視端末１０は、撮影装置１０３で撮影した侵入者の映像（写真）も送信する（ステップＳ４）。次に、監視端末１０は、警報装置１０４を介して、アラーム（音）を発生する（ステップＳ５）。アラームを発することにより侵入者は何もしないで慌てて逃げる可能性がある。
【００４５】
監視センター装置２０は、監視端末１０から侵入者の発生の通知を受信すると、表示装置２０１に侵入者の発生を表示、警報装置２０２に警報アラームを発生させる（ステップＳ６）。監視センター装置２０の監視員は、住居を所轄する警察（住人情報データベース２０３に登録されている）に侵入者の発生を通報するとともに、現地に警備員を派遣する。警備員は、住人の帰宅まで警備を行う。
【００４６】
携帯端末３０は、監視端末１０から侵入者の発生の通知を受信すると、画面に表示する（ステップＳ７）。住人（携帯端末３０の所有者）は、画面により、家庭の住居に侵入者が発生したことを認識する。
【００４７】
次に、住人が在宅時の動作について図面を参照して説明ずる。
【００４８】
図４は、住民が家庭に在宅の場合（在宅モード）の本発明の第１の最良の形態の動作を示すフローチャートである。
【００４９】
図４を参照すると、監視端末１０は、人感知装置１０１を介して常時、住居内の人の有無を監視している。監視端末１０は、人を感知すると（図４ステップＴ１／Ｙｅｓ）、ＩＣタグ読取装置１０２を介してＩＣタグのＩＤを読み取る。
【００５０】
監視端末１０は、読み取ったＩＤが住人情報データベース２０３（監視端末１０の写し）に登録されている住人の付けているＩＣタグのＩＤであるかどうかを調べる（ステップＴ２）。住人の付けているＩＣタグのＩＤであると（ステップＴ２／Ｙｅｓ）、監視端末１０は、監視に戻る（ステップＴ１）。
【００５１】
監視端末１０は、読み取ったＩＤが住人情報データベース２０３に登録されている住人の付けているＩＣタグのＩＤでないか、または、感知した人がＩＣタグを付けていない場合には（ステップＴ２／Ｎｏ）、住人情報データベース２０３来客情報を調べ、現在の時間に来客予定が存在するかどうかを調べる（ステップＴ３）。
【００５２】
現在の時間に来客予定が存在しないと（ステップＴ３／Ｎｏ）、監視端末１０は、玄関（ドアの内部）において、人を感知したのであれば（ステップＴ４／Ｙｅｓ）、あらかじめ設定された一定時間、そのまま監視を続行し（ステップＴ５／Ｙｅｓ）、一定時間を超過すると（ステップＴ５／Ｎｏ）、玄関（ドアの内部）の人を撮影装置１０３を介して撮影する（ステップＴ６）。次に、携帯端末３０に電話をする（ステップＴ７）。住民は、電話を理由に不快な訪問販売等を追い返すことができる。もしそうでない場合は、住民は、電話を切ればよい。
【００５３】
現在の時間に来客予定が存在するか（ステップＴ３／Ｙｅｓ）、または、玄関以外において、人を感知したのであれば（ステップＴ４／Ｎｏ）、監視端末１０は、携帯電話３０に「正常であるかどうかの確認」を通知する（ステップＴ８）。
【００５４】
住人は、携帯端末３０への「正常であるかどうかの確認」を通知を受け取ると、正常であれば（すなわち、感知された人に問題がなければ）、正常であることを示す正常応答を携帯端末３０に入力し、携帯端末３０は、入力された正常応答を監視端末１０に送信し、監視端末１０は、正常応答を受信すると（ステップＴ９／Ｙｅｓ）、通常の監視を続行する（ステップＴ１）。
【００５５】
住人は、携帯端末３０への「正常であるかどうかの確認」を通知を受け取り、正常でなければ（すなわち、感知された人に問題があれば）、正常でないことを示す異常応答を携帯端末３０に入力し、携帯端末３０は、入力された異常応答を監視端末１０に送信し、監視端末１０は、異常応答を受信すると（ステップＴ９／Ｎｏ）、撮影装置１０３を介し人を撮影する（ステップＴ１０）。また、携帯端末３０からある一定時間応答が無い場合も（ステップＴ９／Ｎｏ）、撮影装置１０３を介し人を撮影する（ステップＴ１０）。
【００５６】
住人は、来客の場合、上記一定時間以内に予備のＩＣタグを客に着けてもらうことにより、携帯端末３０への問い合わせ連絡の動作を省くことが可能である。
【００５７】
次に、監視端末１０は、異常事態と判断し、監視センター装置２０へ、異常通報、および、撮影装置１０３で撮影された映像（音声を含む）を送信する（ステップＴ１１）。
【００５８】
監視センター装置２０は、監視端末１０からの異常通報を受け、表示装置２０１に異常事態発生を表示し、（ステップＴ１２）、警報装置２０２により警報アラームを発生する（ステップＴ１３）。
【００５９】
監視センターの監視員は、異常通報に伴う映像（音声を含む）を確認し、状況を把握し警察（住人情報データベース２０３に登録されている）に通報する。
【００６０】
次に、本発明の第２の最良の形態について図面を参照して詳細に説明する。
【００６１】
本発明の第２の最良の形態は、図３、図４の各ステップを含む方法である。
【００６２】
次に、本発明の第３の最良の形態について図面を参照して詳細に説明する。
【００６３】
本発明の第２の最良の形態は、図３、図４の各ステップをコンピュータ（たとえば、監視端末１０、監視センター装置２０、携帯端末３０）に実行させるプログラムである。
【図面の簡単な説明】
【００６４】
【図１】本発明の第１の最良の形態の構成を示すブロック図である。
【図２】家庭における監視端末等の配置を示す説明図である。
【図３】住民が家庭に不在の場合の本発明の第１の最良の形態の動作を示すフローチャートである。
【図４】住民が家庭に在宅の場合の本発明の第１の最良の形態の動作を示すフローチャートである。
【符号の説明】
【００６５】
１０    監視端末
２０    監視センター装置
３０    携帯端末
１００    ネットワーク
１０１    人感知装置
１０２    ＩＣタグ読取装置
１０３    撮影装置
１０４    警報装置
２０１    表示装置
２０２    警報装置
２０３    住人情報データベース
【図１】
2005092622.tif 000003
【図２】
2005092622.tif 000004
【図３】
2005092622.tif 000005
【図４】
2005092622.tif 000006